【事件の表示】
　平成１１年特許願第　３６３２３号「パチンコ機の表示装置」拒絶査定不服審判事件〔平成１１年１１月　９日出願公開、特開平１１−３０９２５５〕について、次のとおり審決する。
【結　論】
　本件審判の請求は、成り立たない。
【理　由】
　１．手続の経緯・本願発明
　本願は、平成１年９月８日に出願した実願平１−１０５９１３号の一部を、平成８年１２月２６日に新たな出願とした実願平８ー１３１７８号を、平成１０年４月２８日に特許出願に変更した特願平１０−１１８４９５号の一部を、平成１１年２月１５日に新たな特許出願としたものであって、その請求項１に係る発明は、平成１５年１月３１日付けの手続補正書によって補正された明細書の特許請求の範囲の請求項１に記載された次のとおりのものである。
「【請求項１】パチンコ機の遊技盤に装着されるケース部材内には、表示パネル部品が組み込まれるとともに、前記表示パネル部品を異機種のパチンコ機間で組み替え可能とするために、前記ケース部材における前記表示パネル部品の組み込み部位を規格化してなるパチンコ機の表示装置であって、
　前記表示パネル部品はプリント基板を備える一方、このプリント基板は、当該遊技盤における前記ケース部材の外部に配され前記表示パネル部品に任意の図柄を可変表示させるための制御装置にコネクタ接続され、しかも前記プリント基板は、前記表示パネル部品が当該遊技盤から前記他の遊技盤へ組み替えられるときには、前記当該遊技盤での表示内容とは異なる内容を表示させる制御装置に対してコネクタ接続可能とされていることを特徴とするパチンコ機の表示装置。」（以下、「本願発明」という。）
　
 ２．引用刊行物
　これに対して、当審の拒絶の理由に引用した刊行物１（特開昭５９−１４６６８５号公報）には、
「このパチンコ遊技機の遊技部のほぼ中央部には遊技盤６の裏側に貫通するほぼ矩形の孔７ａを開設し、第２図（ａ）に示すように、透光性を有する板状の保護マスク７ｂにより孔７ａを塞ぐとともに、保護マスク７ｂと前面ガラス７ｃとの間にパチンコ球が流下し得る間隙７ｄを形成し、保護マスク７ｂの後方には映像表示装置８の表示部を臨ませる。映像表示装置８は３インチ、４インチ程度の小型のもので、たとえば第２図（ａ）、（ｂ）に示すように遊技機裏面の孔７ａに対応する位置に取付枠１０により取付けた保持箱１１の内部に収納し、ストッパー１２でロックする様にして固定すればよい。」（２頁左上欄８〜２０行）、
「中央コントロール部１９にはさらにコンピュータ部２０の入出力装置２３と、映像表示装置８の信号処理回路２５とを電気的に結合する完了制御インターフェース２６、入賞表示制御インターフェース２７、店内放送インターフェース２８が設けられ、又映像表示装置の画像を所定のものに切換える操作パネル３０が設けられる。」（２頁右上欄２０行〜左下欄６行）と記載されている。
　上記記載及び図面の記載からみれば、映像表示装置８は、パチンコ機の遊技盤に装着される保持箱１１内に組み込まれて、保持箱１１の外部に配置された中央コントロール部１９に接続されているパチンコ機の表示装置が記載されている。そして映像表示装置８は、「保持箱１１の内部に収納し、ストッパー１２でロックする様にして固定すればよい」と記載されているように、保持箱１１に着脱自在に収納されているものと認められ、さらに、中央コントロール部１９内の記憶装置２２や操作パネル３０で記憶されている第４図に示されるような画像や装飾画像等を表示するものである。
　また、映像表示装置８は、前記認定のように保持箱に着脱自在に収納されているから、当該遊技盤から他の遊技盤へ組み替え可能であり、しかもそれ自体は表示内容を記憶しない汎用性の表示装置であるから、刊行物１には、「パチンコ機の遊技盤に装着される保持箱には、他の遊技盤に装着された保持箱へ組み替え可能とされる映像表示装置が組み込まれてなるパチンコ機の表示装置であって、
　前記映像表示装置は、中央コントロール部に接続され、前記中央コントロール部は、前記保持箱の外部に配置され、前記映像表示装置に任意の図柄を可変表示させるものであり、しかも、映像表示装置が当該遊技盤から他の遊技盤に組み替えられるときには、前記当該遊技盤での表示内容とは異なる内容を表示させる制御装置に対して接続可能とされているパチンコ機の表示装置。」が記載されているものと認める。
　
　同じく引用した刊行物２（実願昭６２−７９９９０号（実開昭６３−１８８０７７号）のマイクロフィルム）には、
「本考案による表示装置１は、第１基板２と第２基板３とを有し.第１基板２の前面には表示基板４を添設し、第２基板３にはＭＣＵ５を有する処理部６を形成する。第１基板２の前後表面にはプリント配線を適宜施すと共に、後面にはトランジスタ、抵抗などのチップ素子７…を配設して電気回路(主としてドライブ回路)を形成し、周縁部には例えば雄型コネクタ８を配置する。表示基板４は、例えば２０×２０ｍｍ程度の基板であって、この表示基板４の表面に縦横１０×１０個のレンズ部を備えない裸のＬＥＤ素子９を配列する。.尚、第１図の実施例では表示基板４の前面に透光性のあるカバー部材１０を被着している。また、このカバー部材１０に着色することもできる。一方、第２基板３の前後面にはチップ素子７及びＭＣＵ５や水晶１１などを配設して電気回路を形成し、周緑には雌型コネクタ１２を配置し、この雌型コネクタ１２と前記第１基板２の雄型コンネクタ８とを接続する。〜また、第２基板３の一縁には外部接続端子１４を設けて、この外部接続端子１４を介してパチンコ機１５の制御装置１６に接続可能とする。」（４頁２行〜５頁９行）と記載されている。
　
３．対比・判断
　本願発明と刊行物１に記載の発明を対比すると、刊行物１の「保持箱１１」および「中央コントロール部１９」は、本件請求項１の「ケース部材」および「制御装置」に相当し、本件請求項１の「表示パネル部材」も映像表示装置であるから、
　両者は、「パチンコ機の遊技盤に装着されるケース部材内には、他の遊技盤に装着されたケース部材へ組み替え可能とされる映像表示装置が組み込まれてなるパチンコ機の表示装置であって、
　前記映像表示装置は、当該遊技盤における前記ケース部材の外部に配され前記映像表示装置に任意の図柄を可変表示させるための制御装置に接続され、しかも映像表示装置が当該遊技盤から他の遊技盤に組み替えられるときには、前記当該遊技盤での表示内容とは異なる内容を表示させる制御装置に対して接続可能とされているパチンコ機の表示装置 。」である点で一致するが、下記の点で相違する。
（相違点）
（１）本願発明では、映像表示装置が表示パネル部品であり、該表示パネル部品はプリント基板を備える一方、このプリント基板を介して、制御装置にコネクタ接続または接続可能とされているのに対し、刊行物１に記載の発明では、映像表示装置の構成が不明であって、上記構成を具備している否かは不明な点。
（２）本願発明では、表示パネル部品を異機種のパチンコ機間で組み替え可能とするために、パチンコ機の遊技盤に装着されるケース部材における前記表示パネル部品の組み込み部位を規格化しているのに対し、刊行物１に記載の発明では、このような構成は不明な点。
　
　上記相違点について検討する。
（１）についは、刊行物２には、パチンコ機の映像表示装置として、表示パネル部品を用い、この表示パネル部品にはプリント基板を備えさせるとともに、外部の制御装置にコネクタ接続させることが記載されているから、映像表示装置として、プリント基板を備えた表示パネル部品を用い、これを制御装置にコネクタ接続させることは、当業者が容易に想到し得るものである。
（２）については、遊技盤の裏面に設けた部材を着脱可能として、遊技盤のリフレッシュ等に際し、遊技盤全体を取り替えずに、未だ使用できる遊技盤の裏面に設けた部材を、新しい遊技盤（異機種）に再利用すること、即ち、異機種のパチンコ機間で組み替え可能とすることは周知技術（実願昭５１−２６６４号（実開昭５２−９７１８１号）のマイクロフィルム、実願昭５１−１３１２９６号（実開昭５３−１２９３８３号）のマイクロフィルム、実願昭５１−２６６４号（実開昭５２−５００９０号）のマイクロフィルム、特開昭６１−１９９８７４号公報）であり、表示パネル部品も遊技盤も裏面に設ける部材であるから、表示パネル部品においても再利用することは当業者が容易に想到し得るものであり、再利用に当たり、表示パネル部品が異機種の表示パネル部品の取付部位に適合しなければ、再利用不能や取付が困難になることは自明であるから、パチンコ機の遊技盤に装着されるケース部材における表示パネル部品の組み込み部位を規格化することは当業者が適宜なし得る設計事項にすぎない。
　
５．むすび
　以上のとおりであるから、本願発明は、上記刊行物１、２に記載された発明及び周知技術に基いて当業者が容易に発明をすることができたものであり、特許法第２９条第２項の規定により特許を受けることができない。
　よって、結論のとおり審決する。